(57)【要約】【課題】本発明は、ディジタル・マルチメディア・ブロードキャスティング（ＤＭＢ）の視聴機能と共に通話機能を遂行するＤＭＢ受信端末機及び通話方法を提供する。【解決手段】本発明のＤＭＢ受信端末機は、画像情報を出力するための画像出力経路と、可聴音を出力するための可聴音出力経路と、ユーザーのキー入力信号を入力するためのキー入力経路とを、ＤＭＢモジュール及びモデムモジュールの何れか一つに連結するようにスイッチングするＤＭＢ-モデムスイッチ部と、ユーザーの動作モードの選択に応じて、ＤＭＢ-モデムスイッチ部を制御して、動作モードに従うモジュールに画像出力経路と、可聴音出力経路と、キー入力経路とが連結されるように制御するＤＭＢ-モデムスイッチ制御部とを備える。【選択図】図２
2006325205.tif 000002
【特許請求の範囲】
【請求項１】
ＤＭＢを視聴するためのＤＭＢモジュールと、移動通信機能を遂行するためのモデムモジュールとを備え、前記ＤＭＢモジュールと前記モデムモジュールとが個別的に動作可能なＤＭＢ受信端末機において、
画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ-モデムスイッチ部と、
前記ユーザーの動作モードの選択に応じて、前記ＤＭＢ-モデムスイッチ部を制御して、前記動作モードに従うモジュールに前記画像出力経路と、前記可聴音出力経路と、前記キー入力経路とが連結されるように制御するＤＭＢ-モデムスイッチ制御部と、を備えることを特徴とするＤＭＢ視聴機能と共に通話機能を遂行するＤＭＢ受信端末機。
【請求項２】
前記ＤＭＢ-モデムスイッチ制御部は、前記モデムモジュールに具備されることを特徴とする請求項１に記載のＤＭＢ視聴機能と共に通話機能を遂行するＤＭＢ受信端末機。
【請求項３】
前記ＤＭＢ-モデムスイッチ制御部は、前記ＤＭＢ受信端末機の動作モードがＤＭＢ受信モードの場合に、前記画像出力経路と、前記可聴音出力経路と、前記キー入力経路とが前記ＤＭＢモジュールに連結されるように、前記ＤＭＢ-モデムスイッチ部を制御することを特徴とする請求項１又は請求項２に記載のＤＭＢ視聴機能と共に通話機能を遂行するＤＭＢ受信端末機。
【請求項４】
前記ＤＭＢ-モデムスイッチ制御部は、前記ＤＭＢ受信端末機の動作モードが移動通信を遂行するための移動通信モードの場合に、前記画像出力経路と、前記可聴音出力経路と、前記キー入力経路とが前記モデムモジュールに連結されるように、前記ＤＭＢ-モデムスイッチ部を制御することを特徴とする請求項１又は請求項２に記載のＤＭＢ視聴機能と共に通話機能を遂行するＤＭＢ受信端末機。
【請求項５】
前記移動通信モードは、呼着信又は呼発信に従う通話を処理するコール動作モードと、受信されたＳＭＳメッセージの確認、前記ＳＭＳメッセージの作成及び発信を行うＳＭＳメッセージ動作モードと、受信されたＭＭＳメッセージの確認、前記ＭＭＳメッセージの作成及び発信を行うＭＭＳメッセージ動作モードとの何れか一つであることを特徴とする請求項４に記載のＤＭＢ視聴機能と共に通話機能を遂行するＤＭＢ受信端末機。
【請求項６】
前記ＤＭＢモジュールは、
前記デジタル放送受信端末機において、呼発信、ＳＭＳメッセージやＭＭＳメッセージの作成及び発信を行う発信キーの入力を感知するための発信キー入力感知部と、
前記発信キーの入力を報知する発信キー入力報知信号を前記モデムモジュールに入力するためのモデムモジュールインターフェースと、を備えることを特徴とする請求項２に記載のＤＭＢ視聴機能と共に通話機能を遂行するＤＭＢ受信端末機。
【請求項７】
前記ＤＭＢ-モデムスイッチ制御部は、前記発信キー入力報知信号が入力された場合に、前記画像出力経路と、前記可聴音出力経路と、前記キー入力経路とが前記モデムモジュールに連結されるように、前記ＤＭＢ-モデムスイッチ部を制御することを特徴とする請求項６に記載のＤＭＢ視聴機能と共に通話機能を遂行するＤＭＢ受信端末機。
【請求項８】
前記ＤＭＢ-モデムスイッチ制御部は、前記モデムモジュールが、呼着信又はＳＭＳメッセージやＭＭＳメッセージの受信を感知した場合に、前記ユーザーの選択に応じて前記画像出力経路と、前記可聴音出力経路と、前記キー入力経路とが前記モデムモジュールに連結されるように、前記ＤＭＢ-モデムスイッチ部を制御することを特徴とする請求項１に記載のＤＭＢ視聴機能と共に通話機能を遂行するＤＭＢ受信端末機。
【請求項９】
前記ＤＭＢ-モデムスイッチ部は、
前記ＤＭＢ受信端末機の増幅部に連結される可聴音出力経路を、前記モデムモジュール及び前記ＤＭＢモジュールの何れか一つに連結する可聴音スイッチ部と、
前記ＤＭＢ受信端末機の表示部に連結される画像出力経路を、前記モデムモジュール及び前記ＤＭＢモジュールの何れか一つに連結する画像出力スイッチ部と、
前記ＤＭＢ受信端末機のキー入力部に連結されるキー入力経路を、前記モデムモジュール及び前記ＤＭＢモジュールの何れか一つに連結するキー入力スイッチ部と、を備えることを特徴とする請求項１に記載のＤＭＢ視聴機能と共に通話機能を遂行するＤＭＢ受信端末機。
【請求項１０】
前記ＤＭＢ受信端末機のキー入力部は、前記モデムモジュールが、呼発信又は呼着信に従う通話処理動作を遂行する場合に、前記画像出力経路及び前記キー入力経路を、現在連結しているモジュールとは異なるモジュールに連結するための出力切換キーを備えることを特徴とする請求項９に記載のＤＭＢ視聴機能と共に通話機能を遂行するＤＭＢ受信端末機。
【請求項１１】
前記ＤＭＢ-モデムスイッチ制御部は、前記出力切換キーが入力された場合に、前記画像出力スイッチ部及び前記キー入力スイッチ部を制御して、前記画像出力経路及び前記キー入力経路が前記ＤＭＢモジュールに連結されるようにすることを特徴とする請求項１０に記載のＤＭＢ視聴機能と共に通話機能を遂行するＤＭＢ受信端末機。
【請求項１２】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするＤＭＢ受信端末機の通話方法において、
前記モデムモジュールが、ユーザーがＤＭＢ受信を選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記モデムモジュールが、呼着信を受信した場合に、前記画像出力経路と、前記可聴音出力経路と、前記キー入力経路とを前記モデムモジュールに連結するモデムモジュール連結ステップと、
前記モデムモジュールが、前記呼着信に従う通話が行われるようにする通話処理ステップと、
前記モデムモジュールが、前記通話処理ステップの終了後に、前記画像出力経路と、前記可聴音出力経路と、前記キー入力経路とを、前記ＤＭＢモジュールに再連結するＤＭＢモジュール再連結ステップと、を含むことを特徴とするＤＭＢ視聴機能と共に通話機能を遂行する通話方法。
【請求項１３】
前記モデムモジュール連結ステップは、
前記モデムモジュールが、前記呼着信が受信されたか否かを判別する受信判別ステップと、
ユーザーより前記受信された呼着信に従う通話の可否を承認される通話可否承認ステップと、
前記ユーザーが通話を承認した場合に、前記画像出力経路と、前記可聴音出力経路と、前記キー入力経路とをモデムモジュールに連結する連結ステップと、を含むことを特徴とする請求項１２に記載のＤＭＢ視聴機能と共に通話機能を遂行する通話方法。
【請求項１４】
前記ＤＭＢ受信端末機のキー入力部は、前記モデムモジュールが、前記呼着信が受信された場合に、前記画像出力経路及び前記キー入力経路を、現在連結しているモジュールとは異なるモジュールに連結するための出力切換キーを備えることを特徴とする請求項１２に記載のＤＭＢ視聴機能と共に通話機能を遂行する通話方法。
【請求項１５】
前記通話処理ステップは、
前記モデムモジュールが、前記受信された呼着信に従う通話が行われるようにする受信通話処理ステップと、
前記モデムモジュールが、前記受信通話が終了されたか否かを判別する通話処理終了判別ステップと、
前記モデムモジュールが、前記受信通話が終了されない場合に、前記出力切換キーが入力されたか否かを判別する出力切換キー入力判別ステップと、
前記モデムモジュールが、前記画像出力経路及び前記キー入力経路を、現在連結しているモジュールとは異なるモジュールに連結する経路出力切換ステップと、を含むことを特徴とする請求項１４に記載のＤＭＢ視聴機能と共に通話機能を遂行する通話方法。
【請求項１６】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするデジタルマルチメディア受信端末機の通話方法において、
前記モデムモジュールが、ユーザーが前記ＤＭＢの受信モードを選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記モデムモジュールが、移動通信網からメッセージが受信された場合に、前記画像出力経路と、前記可聴音出力経路と、前記キー入力経路とを前記モデムモジュールに連結するモデムモジュール連結ステップと、
前記モデムモジュールが、前記受信されたメッセージをユーザーが確認可能であるようにするメッセージ処理ステップと、
前記モデムモジュールが、前記メッセージ処理ステップの終了後に、前記画像出力経路と、前記可聴音出力経路と、前記キー入力経路とを前記ＤＭＢモジュールに再連結するＤＭＢモジュール再連結ステップと、を含むことを特徴とするＤＭＢ視聴機能と共に通話機能を遂行する通話方法。
【請求項１７】
前記メッセージは、ＳＭＳメッセージやＭＭＳメッセージであることを特徴とする請求項１６に記載のＤＭＢ視聴機能と共に通話機能を遂行する通話方法。
【請求項１８】
前記モデムモジュール連結ステップは、
前記モデムモジュールが、前記メッセージが受信されたか否かを判別する受信判別ステップと、
ユーザーから前記受信されたメッセージの確認の可否を承認されるメッセージ確認可否承認ステップと、
前記ユーザーがメッセージ確認を承認した場合に、前記画像出力経路と、前記可聴音出力経路と、前記キー入力経路とをモデムモジュールに連結する連結ステップと、を含むことを特徴とする請求項１６に記載のＤＭＢ視聴機能と共に通話機能を遂行する通話方法。
【請求項１９】
ＤＭＢを視聴するためのＤＭＢモジュールと、移動通信機能を遂行するためのモデムモジュールとを備え、前記ＤＭＢモジュールと前記モデムモジュールとが個別的に動作可能であり、前記モデムモジュールにより画像出力経路と、可聴音出力経路と、キー入力経路とが、前記ＤＭＢモジュール及び前記モデムモジュールの何れか一つに連結されるようにスイッチングするＤＭＢ受信端末機の通話方法において、
前記モデムモジュールが、ユーザーが前記ＤＭＢの受信モードを選択した場合に、前記画像出力経路と、前記可聴音出力経路と、前記キー入力経路とを前記ＤＭＢモジュールに連結するＤＭＢモジュール連結ステップと、
前記ＤＭＢモジュールが、前記可聴音出力経路及び前記画像出力経路を介してＤＭＢデータを出力し、前記キー入力経路を介してユーザーのキー入力を受けるＤＭＢ受信ステップと、
前記ＤＭＢモジュールが、前記ＤＭＢ受信端末機において、呼発信又はメッセージの作成及び発信のための発信キーの入力を感知し、これを前記モデムモジュールに報知する発信キー入力感知ステップと、
前記モデムモジュールが、前記発信キーの入力が感知された場合に、前記ユーザーのキー入力に従う動作を遂行する発信キー動作遂行ステップと、
前記モデムモジュールが、前記発信キー動作遂行の終了後に、前記画像出力経路と、前記可聴音出力経路と、前記キー入力経路とを前記ＤＭＢモジュールに再連結するＤＭＢモジュール再連結ステップと、を含むことを特徴とするＤＭＢ視聴機能と共に通話機能を遂行する通話方法。
【請求項２０】
前記発信キー動作は、前記モデムモジュールが、前記ユーザーのキー入力に応じて、呼発信する呼発信動作と、ＳＭＳメッセージやＭＭＳメッセージの作成及び発信を行うメッセージ発信動作との何れか一つであることを特徴とする請求項１９に記載のＤＭＢ視聴機能と共に通話機能を遂行する通話方法。
【請求項２１】
前記ＤＭＢ受信端末機のキー入力部は、前記モデムモジュールが、前記呼発信動作を遂行する場合に、前記画像出力経路及び前記キー入力経路を、現在連結しているモジュールとは異なるモジュールに連結するための出力切換キーを備えることを特徴とする請求項２０に記載のＤＭＢ視聴機能と共に通話機能を遂行する通話方法。
【請求項２２】
前記発信キー動作遂行ステップは、
前記モデムモジュールが、前記呼発信動作の遂行に従う発信通話が行われるようにする発信通話処理ステップと、
前記モデムモジュールが、前記発信通話が終了されたか否かを判別する通話処理終了判別ステップと、
前記モデムモジュールが、前記発信通話が終了されない場合に、前記出力切換キーが入力されたか否かを判別する出力切換キー入力判別ステップと、
前記モデムモジュールが、前記出力切換キーが入力された場合に、前記画像出力経路及び前記キー入力経路を、現在連結しているモジュールとは異なるモジュールに連結する経路出力切換ステップと、を含むことを特徴とする請求項２１に記載のＤＭＢ視聴機能と共に通話機能を遂行する通話方法。
【発明の詳細な説明】
【技術分野】
【０００１】
本発明は、ディジタル・マルチメディア・ブロードキャスティング（ＤＭＢ）を受信する受信端末機に関し、特に、ＤＭＢ受信機能と共に、携帯電話の機能も兼ね備えたＤＭＢ受信端末機に関する。
【背景技術】
【０００２】
通常の携帯端末機は、ユーザーのキー入力に応じて動作状態を遷移する方式が用いられる。例えば、ユーザーが、ＳＭＳ(Ｓｈｏｒｔ  Ｍｅｓｓａｇｅ  Ｓｅｒｖｉｃｅ)メッセージの受信や作成の際に、携帯端末機の制御部は現在の動作状態からユーザーのキー入力に応じてＳＭＳメッセージ機能をユーザーに提供できる動作状態へ遷移する。一般的に、このような動作状態の遷移は、上述したようにユーザーが特定キーを入力したものと同様に、特定イベントが発生した場合に前記制御部がこれを感知して動作状態を遷移する。このようにイベントの発生を中心として動作状態を遷移する機器をステートマシン(Ｓｔａｔｅ  Ｍａｃｈｉｎｅ)と称することもある。
【０００３】
通常の移動通信端末機はこのような状態遷移方式に従う。これは、移動通信端末機の一例であるＤＭＢ受信端末機においても同様である。図１は、通常のＤＭＢ受信端末機においてイベントの発生による動作状態の遷移を示す図である。図１では、便宜上ＤＭＢ受信端末機が、待機状態であるＩｄｌｅ  Ｓｔａｔｅ(１０２)と、既に設定されたメニュー画面がディスプレイされるＭｅｎｕ  Ｓｔａｔｅ(１０４)と、呼着信又は呼発信時の動作状態であるＣａｌｌ  Ｓｔａｔｅ(１０６)と、ユーザーがＤＭＢを視聴する場合のＤＭＢ受信端末機の動作状態であるＤＭＢ  Ｓｔａｔｅ(１０８)との４つの動作状態を有するＵＩ(Ｕｓｅｒ  Ｉｎｔｅｒｆａｃｅ)  Ｓｔａｔｅ(１００)を備えていると仮定して説明する。
【０００４】
図１によれば、動作状態による方式では、まず、ユーザーの入力が全然ない場合に、 ＵＩ Ｓｔａｔｅ(１００)はＩｄｌｅ  Ｓｔａｔｅ(１０２)状態になる。仮に、ユーザーが特定アプリケーションを使用するために、メニューをディスプレイするメニューキーを入力すると、ＤＭＢ受信端末機の動作状態はＩｄｌｅ  Ｓｔａｔｅ(１０２)からＭｅｎｕ画面をディスプレイするＭｅｎｕ  Ｓｔａｔｅ(１０４)へ遷移される。ＤＭＢ受信端末機に呼着信が受信されたり、ユーザーが呼発信するイベントが発生する場合に、ＤＭＢ受信端末機の動作状態はＣａｌｌ  Ｓｔａｔｅ(１０６)へ遷移され、通話処理動作を遂行する。ユーザーがＤＭＢを視聴するためのキーを入力すると、ＤＭＢ受信端末機の動作状態はＤＭＢ  Ｓｔａｔｅ(１０８)へ進行して、ＤＭＢデータを受信し、受信されたＤＭＢデータを出力する。
【０００５】
ところが、図１に示すように、通常のＤＭＢ受信端末機は、ある一時点にある一つの動作状態を持つことになる。例えば、ユーザーがＤＭＢを視聴するためにＤＭＢ  Ｓｔａｔｅ(１０８)にある状態で、呼着信が受信されてユーザーがこれを承認すると、通常のＤＭＢ受信端末機は、呼着信というイベントの発生によってＣａｌｌ  Ｓｔａｔｅ(１０６)へ動作状態を遷移するようになる。これにより、ＤＭＢを受信し、これを出力するＤＭＢ  Ｓｔａｔｅ(１０８)の動作は終了される。
【０００６】
これにより、通常のＤＭＢ受信端末機は、ＤＭＢの視聴中に他の動作を遂行すると、それに従う動作状態へ遷移されることで、ＤＭＢの受信を中断しなければならないという問題点があった。
【０００７】
また、通常のＤＭＢ受信端末機は、ＤＭＢを受信したユーザーが、通話をしなければならない場合に、通話時に発生するＣａｌｌ  Ｓｔａｔｅへの動作状態の遷移により、ＤＭＢの視聴が不可能であるという問題点がある。
【発明の開示】
【発明が解決しようとする課題】
【０００８】
よって、本発明の目的は、ＤＭＢ受信端末機において、ＤＭＢ（ディジタル・マルチメディア・ブロードキャスティング）の視聴中に他の動作を遂行しても、ＤＭＢの受信を中断することなく、持続的にＤＭＢの視聴が可能である装置及び方法を提供することにある。
【０００９】
本発明の他の目的は、ユーザーが通話をしなければならない場合に、通話しながらＤＭＢの視聴も可能である装置及び方法を提供することにある。
【課題を解決するための手段】
【００１０】
前記目的を達成するために、本発明の実施形態によるＤＭＢ受信端末機は、画像情報を出力するための画像出力経路と、可聴音を出力するための可聴音出力経路と、ユーザーのキー入力信号を入力するためのキー入力経路とを、前記ＤＭＢモジュール及び前記モデムモジュールの何れか一つに連結するようにスイッチングするＤＭＢ-モデムスイッチ部と、前記ユーザーの動作モードの選択に応じて、前記ＤＭＢ-モデムスイッチ部を制御して、前記動作モードに従うモジュールに前記画像出力経路と、前記可聴音出力経路と、前記キー入力経路とが連結されるように制御するＤＭＢ-モデムスイッチ制御部とを備える。
【００１１】
また、本発明の実施形態によるＤＭＢ受信端末機の通話方法は、前記モデムモジュールが、ユーザーがＤＭＢ受信を選択した場合に、前記画像出力経路と、前記可聴音出力経路と、前記キー入力経路とを前記ＤＭＢモジュールに連結するＤＭＢモジュール連結ステップと、前記ＤＭＢモジュールが、前記可聴音出力経路及び前記画像出力経路を介してＤＭＢデータを出力し、前記キー入力経路を介してユーザーのキー入力を受けるＤＭＢ受信ステップと、前記モデムモジュールが、呼着信を受信した場合に、前記画像出力経路と、前記可聴音出力経路と、前記キー入力経路とを前記モデムモジュールに連結するモデムモジュール連結ステップと、前記モデムモジュールが、前記呼着信に従う通話が行われるようにする通話処理ステップと、前記モデムモジュールが、前記通話処理ステップの終了後に、前記画像出力経路と、前記可聴音出力経路と、前記キー入力経路とを、前記ＤＭＢモジュールに再連結するＤＭＢモジュール再連結ステップとを含む。
【発明の効果】
【００１２】
本発明によれば、画像情報を出力するための画像出力経路と、可聴音を出力するための可聴音出力経路と、キー入力経路とを、ＤＭＢモジュールに連結されている経路又はモデムモジュールに連結されている経路へスイッチングするスイッチング部を備える。モデムモジュールが、ユーザーが選択した動作状態に応じて、画像出力経路と、可聴音出力経路と、キー入力経路とがＤＭＢモジュールに連結されるように制御する。よって、ＤＭＢの視聴中にユーザーがモデムモジュールを使用したい場合に、上記経路らのスイッチングだけを介して画像出力経路と、可聴音出力経路と、キー入力経路とをモデムモジュールに連結することで、ＤＭＢの受信を終了することなく、モデムモジュールを使用できる。これにより、本発明は、ＤＭＢの視聴中にユーザーがモデムモジュールの機能を使用しても、ＤＭＢの受信を中断することなく、持続的にＤＭＢの視聴が可能である。
【発明を実施するための最良の形態】
【００１３】
以下、添付図面に基づき、本発明の好適な実施形態について詳細に説明する。図面において、同一の構成要素に対しては同じ符号を使用したことを留意すべきである。また、本発明の説明において、本発明に関連した公知の機能や構成についての具体的な説明が、本発明の要旨を不明瞭にすると判断される場合には、その詳細な説明を省略する。
【００１４】
まず、本発明の完全な理解のために、その基本原理を説明する。本発明では、ＤＭＢ（ディジタル・マルチメディア・ブロードキャスティング）データの受信、受信されたＤＭＢデータの処理及び出力のためのＤＭＢモジュール、ＤＭＢ受信機能とは異なる機能を持つモジュールを少なくとも一つ以上備え、それぞれのモジュールを駆動させるアプリケーションにそれぞれ互いに異なるメモリ作業領域を割り当て、アプリケーションがそれぞれ並列的に動作するようにすることで、ある一時点に一つ以上のモジュールが同時に動作可能である。
【００１５】
これにより、同時に動作可能なＤＭＢモジュールと他の機能を持つ少なくとも一つのモジュールとを備えた制御部より、画像情報を出力するために表示部に連結している画像出力経路と、可聴音を出力するために増幅部に連結している可聴音出力経路と、キー入力部のキー入力が制御部に入力されるキー入力経路とを、ＤＭＢモジュールに連結されている経路又は他の機能を持つモジュールに連結されている経路へスイッチングするスイッチング部を備える。そして、制御部に具備されたモジュールのうち、主制御部の役割を果たすモジュールがスイッチング部を制御できるようにして、ユーザーが選択した動作状態に応じて、画像出力経路と、可聴音出力経路と、キー入力経路とが、他の機能を持つモジュールの何れか一つ又はＤＭＢモジュールに連結されるようにする。仮に、ユーザーがＤＭＢの視聴中に他の機能を使用したい場合に、ＤＭＢの受信を終了することなく、所望の他の機能を使用することができる。
【００１６】
図２は、本発明の実施形態によるＤＭＢ受信端末機の例を示す図である。説明の便宜のために、図２では本発明の実施形態によるＤＭＢ受信端末機が、ＤＭＢデータの受信、処理及び出力のためのＤＭＢモジュールと、通常の電話通話やデータ通信機能を持つモデムモジュールとを備える例を示す。
【００１７】
図２によれば、本発明の実施形態によるＤＭＢ受信端末機は、メモリ部２０２と、キー入力部２０４と、表示部２０６と、ベースバンド処理部２１０と、コーデック(ＣＯＤＥＣ：Ｃｏｄｅｒ-Ｄｅｃｏｄｅｒ)２１２とが、制御部２００に連結している。制御部２００は、電話通話、データ通信、無線インターネット接続のためのプロトコルによって、音声信号及びデータ処理のためのモデムモジュール２１８と、映像、オーディオ及び情報データを含むＤＭＢデータを受信し、映像データをデコーディングするためのＤＭＢ映像デコーダ及びオーディオデータをデコーディングするためのＤＭＢオーディオデコーダを含み、デコーディングされたＤＭＢデータの出力を制御するＤＭＢモジュール２２０とを備える。キー入力部２０４からユーザーのキー入力信号が入力されるキー入力経路と、表示部２０６に画像情報が出力される画像出力経路と、可聴音を出力するためにＤＭＢ受信端末機の増幅部２１４で可聴音信号が出力される可聴音出力経路とを、モデムモジュール２１８及びＤＭＢモジュール２２０の何れか一つに連結するＤＭＢ-モデムスイッチ部２１６を備える。ＤＭＢ-モデムスイッチ部２１６は、ハードウェアで具現可能であるが、スイッチングアプリケーションのようなソフトウェアでも具現可能である。制御部２００は下記図３で詳細に説明する。
【００１８】
制御部２００に連結しているメモリ部２０２は、ＲＯＭ、フラッシュメモリ、ＲＡＭなどからなる。ＲＯＭは制御部２００の処理及び制御のためのプログラムと各種参照データを格納する。ＲＡＭは制御部２００のワーキングメモリ(ｗｏｒｋｉｎｇ  ｍｅｍｏｒｙ)を提供し、フラッシュメモリは更新可能な各種データを格納するための領域を提供する。ここで、本発明の実施形態によるＤＭＢ受信端末機のメモリ部２０２は、ＤＭＢモジュール２２０及びモデムモジュール２１８が、主制御部の役割を果たす主制御モジュールを駆動するためのアプリケーションだけでなく、他のモジュールを駆動するためのアプリケーションを備え、必要に応じてアプリケーションにそれぞれの作業領域を提供する。これにより、本発明の実施形態によるＤＭＢ受信端末機は、ある一時点で同時に二つ以上のモジュールが動作可能である。
【００１９】
キー入力部２０４は、数字キーを含む各種キーを備え、ユーザーのキー入力を制御部２００に提供する。また、本発明の実施形態によるキー入力部２０４は出力切換キーを備える。出力切換キーは、モデムモジュール２１８がユーザーの呼着信又は呼発信に従う通話処理動作を遂行する場合に、画像出力経路とキー入力経路をスイッチングして、ユーザーが通話すると同時にＤＭＢの視聴も可能である出力切換機能を使用できるキーである。
【００２０】
ＲＦ部２０８は基地局とＲＦ信号を送受信する役割を果たす。そして、受信された信号をＩＦ(Ｉｎｔｅｒｍｅｄｉａｔｅ  Ｆｒｅｑｕｅｎｃｙ)信号に変換して制御部２００に連結されているベースバンド処理部２１０に出力し、ベースバンド処理部２１０から入力されるＩＦ信号をＲＦ信号に変換して送信する。ここで、ＲＦ部２０８はＤＭＢデータを受信する構成を含む。ベースバンド処理部２１０は制御部２００とＲＦ部２０８との間のインターフェースを提供するＢＢＡ(Ｂａｓｅｂａｎｄ  Ａｎａｌｏｇ  ＡＳＩＣ)であって、制御部２００から印加されるベースバンドのデジタル信号をアナログＩＦ信号に変換してＲＦ部２０８に印加し、ＲＦ部２０８から印加されるアナログＩＦ信号をベースバンドのデジタル信号に変換して制御部２００に印加する。
【００２１】
制御部２００に連結しているコーデック２１２は、増幅部２１４を介してマイク及びスピーカーに接続され、マイクから入力される音声信号をＰＣＭ(Ｐｕｌｓｅ  Ｃｏｄｅ  Ｍｏｄｕｌａｔｉｏｎ)エンコーディングして音声データを制御部２００に出力し、制御部２００から入力される音声データをＰＣＭデコーディングして増幅部２１４を介してスピーカーに出力する。増幅部２１４は、マイクから入力される音声信号やスピーカーに出力される音声信号を増幅するが、スピーカーの音量とマイクのゲインを制御部２００の制御に応じて調節する。制御部２００からＤＭＢデータの可聴音信号が入力される場合に、これを増幅して連結しているスピーカーを介して出力する。
【００２２】
図３は、本発明の実施形態によるＤＭＢ受信端末機において、制御部２００の構成を詳細に示す図である。図３によれば、本発明の実施形態によるＤＭＢ-モデムスイッチ部２１６は、画像出力経路をスイッチングするための画像出力スイッチ部３１８と、可聴音出力経路をスイッチングするための可聴音スイッチ部３１６と、キー入力信号を入力するキー入力経路をスイッチングするためのキー入力スイッチ部３２０とを含む。
【００２３】
また、本発明の実施形態によるＤＭＢ受信端末機のモデムモジュール２１８は、呼着信を報知する呼着信及びＳＭＳメッセージやＭＭＳメッセージの受信時に、これを感知するための受信感知部３０４と、ユーザーが、呼着信又は呼発信のときに通話可能であるように、ＳＭＳメッセージやＭＭＳメッセージの受信のときに受信されたメッセージを確認可能であるように、ＳＭＳメッセージやＭＭＳメッセージの作成及び発信が可能であるようにする、通話処理及びメッセージ処理部３０６とを備える。本発明の実施形態によるＤＭＢ受信端末機において、主制御モジュールがモデムモジュール２１８とすれば、モデムモジュール２１８はＤＭＢ-モデムスイッチ部２１６を制御するためのＤＭＢ-モデムスイッチ制御部３００を備える。ここで、ＤＭＢ-モデムスイッチ制御部３００は、モデムモジュール２１８でＤＭＢ-モデムスイッチ部２１６を制御するためにソフトウェア的に具現されたアプリケーションである。ところが、これはハードウェア的にも具現可能である。そして、本発明の実施形態によるモデムモジュール２１８は、ＤＭＢモジュール２２０と信号のやり取りを行うためのＤＭＢモジュールインターフェース３０２を備えるが、ＤＭＢ-モデムスイッチ制御部３００は、ＤＭＢモジュールインターフェース３０２内に具備される。本発明の実施形態による主制御モジュールであるモデムモジュール２１８は、出力切換キー入力感知部３０８を備える。ここで、出力切換キーは、モデムモジュール２１８がユーザーの呼着信又は呼発信に従う通話処理動作を遂行する場合に、画像出力経路及びキー入力経路だけをスイッチングして、ユーザーが通話すると同時にＤＭＢの視聴も可能であるようにする出力切換機能を使用できるキーである。このような出力切換キー感知及び出力切換動作は下記図７で詳細に説明する。
【００２４】
上述したように、出力切換キー入力感知部３０８は、モデムモジュール２１８が通話処理動作の途中に、出力切換キーの入力を感知するためのものである。よって、出力切換キー入力感知は、通話処理動作のためにキー入力経路がモデムモジュール２１８に連結している状態にある場合に行われる。これにより、出力切換キー入力感知部３０８は、図３に示すように、モデムモジュール２１８のみに具備されていることもできる。
【００２５】
本発明の実施形態によるＤＭＢ受信端末機のＤＭＢモジュール２２０は、ＤＭＢデータの受信及びデコーディングを行い、これを出力するためのＤＭＢデータ処理部３１２と、ＤＭＢモジュールがＤＭＢデータの受信及び出力を行う際に、ユーザーが呼発信又はＳＭＳメッセージやＭＭＳメッセージの発信のための発信キーを入力した場合に、これを感知するための発信キー入力感知部３１４とを備える。また、モデムモジュールインターフェース３１０を備え、モデムモジュール２１８と信号のやり取りを行う。
【００２６】
よって、本発明の実施形態によるＤＭＢ受信端末機では、ユーザーがＤＭＢの視聴を選択した場合に、主制御モジュールであるモデムモジュール２１８のＤＭＢモデムスイッチ制御部３００が、可聴音スイッチ部３１６、画像出力スイッチ部３１８及びキー入力スイッチ部３２０を制御して、増幅部２１４に連結している可聴音出力経路と、表示部２０６に連結している画像出力経路と、キー入力部２０４に連結しているキー入力経路とを、ＤＭＢモジュール２２０に連結するようにスイッチングする。よって、増幅部２１４を介した可聴音出力及び表示部２０６を介した画像情報出力はＤＭＢモジュール２２０が担当し、キー入力部２０４から入力されるユーザーのキー入力信号はＤＭＢモジュール２２０に入力される。
【００２７】
このような状態で、ユーザーがＳＭＳメッセージやＭＭＳメッセージの作成及び呼発信のための発信キーを入力すると、ＤＭＢモジュール２２０は発信キー入力感知部３１４によりこれを感知し、モデムモジュールインターフェース３１０によりこれを報知する信号をモデムモジュール２１８に転送する。モデムモジュール２１８は、ＤＭＢモジュールインターフェース３０２を介して発信キー入力を報知する信号を受信した場合に、ＤＭＢ-モデムスイッチ制御部３００が、可聴音スイッチ部３１６、画像出力スイッチ部３１８及びキー入力スイッチ部３２０を制御して、可聴音出力経路と、画像出力経路と、キー入力経路とを、モデムモジュール２１８に連結するようにスイッチングする。この場合に、ＤＭＢ-モデムスイッチ制御部３００は、可聴音出力経路と、画像出力経路と、キー入力経路とをスイッチングするだけである。これにより、ＤＭＢモジュール２２０のＤＭＢデータ処理部３１２は、ＤＭＢ-モデムスイッチ制御部３００の制御とは無関係に持続的にＤＭＢデータの受信及び処理を行う。しかし、この場合には、可聴音出力経路と、画像出力経路と、キー入力経路とがＤＭＢモジュール２２０に連結していないため、ＤＭＢデータの画像情報及び可聴音が出力されず、ユーザーのキー入力がＤＭＢモジュール２２０に入力されない。
【００２８】
モデムモジュール２１８は、ユーザーのキー入力に応じて、ユーザーが作成したメッセージの発信動作又はユーザーの呼発信に従う通話処理動作を行う。通話処理動作又はメッセージの発信動作が終了されると、更にＤＭＢ-モデムスイッチ制御部３００により、可聴音出力経路と、画像出力経路と、キー入力経路とを更にＤＭＢモジュール２２０に連結するようにスイッチングする。これにより、本発明の実施形態によるＤＭＢ受信端末機は、ユーザーが呼発信又はメッセージの発信を行う場合に、ＤＭＢ受信を終了することなく、呼発信及びメッセージの発信を行うことができる。
【００２９】
これはユーザーがＤＭＢの受信時にも同様に適用される。但し、ユーザーが発信キーを入力する場合とは異なり、モデムモジュール２１８の受信感知部３０４が呼着信又はＳＭＳメッセージやＭＭＳメッセージの受信を感知した場合に、これをＤＭＢ-モデムスイッチ制御部３００に報知し、ＤＭＢ-モデムスイッチ制御部３００が、可聴音出力経路と、画像出力経路と、キー入力経路とを、通話処理動作又はメッセージの受信処理動作が終了されるまでスイッチングする。このように、呼発信又はメッセージの発信時の発信動作、及び呼着信又はメッセージの受信時の受信動作の際に、ＤＭＢ-モデムスイッチ制御部３００のスイッチング動作を、下記図５及び図６で詳細に説明する。
【００３０】
図４は、本発明の実施形態によるＤＭＢ受信端末機の制御部２００において、ユーザーがＤＭＢの受信を選択した場合に、モデムモジュール２１８及びＤＭＢモジュール２２０の動作を示すフローチャートである。ここで、図４もモデムモジュール２１８が主制御モジュールであると仮定する。
【００３１】
図４によれば、ユーザーがＤＭＢの受信を選択した場合に、モデムモジュール２１８は、段階Ｓ４００において可聴音出力経路と、画像出力経路と、キー入力経路とをスイッチングして、経路らがＤＭＢモジュール２２０に連結するようにする。また、モデムモジュール２１８は、段階Ｓ４０２においてＤＭＢモジュール２２０にＤＭＢモジュール活性化信号を入力する。すると、ＤＭＢモジュール２２０は、段階Ｓ４０４においてＤＭＢデータの受信及びデコーディング処理を行い、連結している可聴音出力経路及び画像出力経路を介して可聴音及び画像情報を出力し、ユーザーのキー入力がある場合に、これをＤＭＢ受信に従うキー入力により入力される。ＤＭＢモジュール２２０は、段階Ｓ４０６において発信キーが入力されたか否かを判別する。
【００３２】
一方、モデムモジュール２１８は、段階Ｓ４０２においてＤＭＢモジュール活性化信号をＤＭＢモジュール２２０に入力した後に、段階Ｓ４１６において呼着信又はＳＭＳメッセージやＭＭＳメッセージの受信が感知されたか否かを判別する。段階Ｓ４１６において呼着信又はメッセージの受信が感知された場合に、モデムモジュール２１８は、段階Ｓ４１８において画像出力経路と、可聴音出力経路と、キー入力経路とをモデムモジュール２１８に連結して、呼着信に従う通話処理を行ったり、受信されたメッセージをユーザーが確認できる受信動作を行う。段階Ｓ４１８については下記図６で詳細に説明する。段階Ｓ４１６において呼着信又はメッセージの受信が感知されない場合に、モデムモジュール２１８は、段階Ｓ４１０においてＤＭＢモジュール２２０から発信キーが入力されたか否かを判別する。
【００３３】
一方、ＤＭＢモジュール２２０は、段階Ｓ４０６においてユーザーから発信キーが入力された場合に、段階Ｓ４０８においてモデムモジュール２１８に発信キーの入力を報知する発信キー入力報知信号を入力する。これにより、モデムモジュール２１８は、段階Ｓ４１０において発信キーが入力されたことを報知する信号が入力されたか否かを判別する。ＤＭＢモジュール２２０から入力された発信キー入力報知信号が入力された場合にはこれを感知し、段階Ｓ４１２において画像出力経路と、可聴音出力経路と、キー入力経路とをモデムモジュール２１８に連結し、ユーザーの呼発信に従う通話処理又はＳＭＳメッセージやＭＭＳメッセージの作成及び発信に従う発信動作を行う。ここで、段階Ｓ４１２については下記図５で詳細に説明する。
【００３４】
また、モデムモジュール２１８は、段階Ｓ４１８の受信動作又は段階Ｓ４１２の発信動作が終了されると、段階Ｓ４１４において可聴音出力経路と、画像出力経路と、キー入力経路とを更にＤＭＢモジュール２２０に連結するようにスイッチングする。ここで、モデムモジュール２１８の段階Ｓ４１８及び段階Ｓ４１２は、図４に示すようにＤＭＢモジュール２２０のＤＭＢデータの受信及び処理に何の影響も与えない。但し、モデムモジュール２１８は、段階Ｓ４１８及び段階Ｓ４１２において可聴音出力経路と、画像出力経路と、キー入力経路とをスイッチングするだけである。これにより、モデムモジュール２１８において段階Ｓ４１８又は段階Ｓ４１２が進行される時にも、相変らずＤＭＢモジュール２２０はＤＭＢデータを受信及び処理する段階Ｓ４０４の動作を維持する。よって、段階Ｓ４１４においてモデムモジュール２１８が可聴音出力経路と、画像出力経路と、キー入力経路とが更にＤＭＢモジュール２２０に連結されている場合に、可聴音出力経路及び画像出力経路を介してＤＭＢデータのオーディオ信号及び映像信号がＤＭＢ受信端末機の表示部２０６及びスピーカーに再出力され、キー入力部２０４の入力は更にＤＭＢモジュール２２０に入力される。これにより、本発明の実施形態によるＤＭＢ受信端末機では、ユーザーがＤＭＢの視聴中に呼着信又はＳＭＳメッセージやＭＭＳメッセージの受信があっても、ＤＭＢの視聴を終了することなく、呼着信に従う通話及び受信されたメッセージの確認が可能である。また、ユーザーがＤＭＢの視聴中にも、ＤＭＢの視聴を終了することなく、いつでもメッセージの作成及び転送や呼発信が可能である。
【００３５】
図５は、図４の段階Ｓ４１２の発信動作遂行を詳細に示すフローチャートである。
図５によれば、ユーザーがＤＭＢの視聴中に発信キーを入力した場合に、モデムモジュール２１８はこれを感知する。モデムモジュール２１８は、段階Ｓ５００において図２に示す可聴音スイッチ部３１６と、画像出力スイッチ部３１８と、キー入力スイッチ部３２０とを制御して、可聴音出力経路と、画像出力経路と、キー入力経路とをＤＭＢモジュール２２０に連結した状態からモデムモジュール２１８に連結した状態へスイッチングする。モデムモジュール２１８は、段階Ｓ５０２においてユーザーのキー入力に応じて、呼発信に従う通話処理動作を行ったり、ＳＭＳメッセージやＭＭＳメッセージの作成及び作成されたメッセージの発信に従うメッセージ処理動作を行う。
【００３６】
モデムモジュール２１８は、段階Ｓ５０４において出力切換キーが入力されたか否かを判別する。出力切換キーが入力された場合に、モデムモジュール２１８は、段階Ｓ５０６において画像出力経路及びキー入力経路をＤＭＢモジュール２２０に連結するようにスイッチングすることで、表示部２０６の出力がＤＭＢモジュール２２０に従うＤＭＢの出力へ切換えられ、キーの入力がＤＭＢモジュール２２０に入力される。ここで、出力切換キーは、モデムモジュール２１８がユーザーの呼着信又は呼発信に従う通話処理動作を行う場合に、画像出力経路及びキー入力経路だけをスイッチングして、ユーザーが通話すると同時にＤＭＢの視聴も可能である出力切換機能を使用できるキーである。このような出力切換キー感知及び出力切換動作は、下記図７で詳細に説明する。
【００３７】
段階Ｓ５０４において出力切換キーが入力されない場合に、モデムモジュール２１８は、段階Ｓ５０８において通話処理動作又はメッセージ処理動作が終了されたか否かを判別する。通話処理動作及びメッセージ処理動作が終了されない場合には、段階Ｓ５０４に戻ってユーザーから出力切換キーが入力されたか否かを判別する。一方、段階Ｓ５０８において通話処理動作又はメッセージ処理動作が終了された場合には、図４の段階Ｓ４１４において可聴音スイッチ部３１６と、画像出力スイッチ部３１８と、キー入力スイッチ部３２０とが、可聴音出力経路と、画像出力経路と、キー入力経路とをスイッチングして、ＤＭＢモジュール２２０に連結するように制御する。よって、本発明の実施形態によるＤＭＢ受信端末機では、ユーザーがＤＭＢの視聴中に、ＤＭＢ受信を終了することなく、いつでもメッセージの作成及び発信又は号発信に従う通話を行うことができる。これにより、ユーザーは、メッセージの発信又は通話処理を終了した後に、ＤＭＢを更にスタットすることなく、直ぐメッセージの発信又は通話処理の以前に視聴したＤＭＢを連続して視聴可能である。
【００３８】
図６は、図４の段階Ｓ４１８の受信動作遂行を詳細に示すフローチャートである。
図６によれば、ユーザーがＤＭＢの視聴中に、呼着信が受信された場合又はＳＭＳメッセージやＭＭＳメッセージが受信された場合に、モデムモジュール２１８は、段階Ｓ４１６においてこれを感知し、段階Ｓ６００においてユーザーに受信された呼着信に従う通話又は受信されたメッセージの確認を承認される。ユーザーが通話又は受信されたメッセージの確認を承認しない場合に、更に図４の段階Ｓ４１６に戻って呼着信又はメッセージの受信があるか否かを判別する。一方、段階Ｓ６００においてユーザーが通話又は受信されたメッセージの確認を承認した場合に、モデムモジュール２１８は、段階Ｓ６０２において図２に示す可聴音スイッチ部３１６と、画像出力スイッチ部３１８と、キー入力スイッチ部３２０とを介して、可聴音出力経路と、画像出力経路と、キー入力経路とをモデムモジュール２１８に連結するように制御する。
【００３９】
また、モデムモジュール２１８は、段階Ｓ６０４において受信された呼着信信号によってユーザーが通話できる通話処理動作、又はユーザーが受信されたメッセージを確認できる受信メッセージ処理動作を行う。モデムモジュール２１８は、段階Ｓ６０６において出力切換キーが入力されたか否かを判別する。出力切換キーが入力された場合に、モデムモジュール２１８は、段階Ｓ５０６において画像出力経路及びキー入力経路をＤＭＢモジュール２２０に連結するようにスイッチすることで、表示部２０６の出力が切換えられるようにし、ユーザーのキー入力がＤＭＢモジュール２２０に入力されるようにする。ここで、出力切換キーは、モデムモジュール２１８が通話処理動作を行う場合に、画像出力経路及びキー入力経路だけをスイッチングして、ユーザーが通話すると同時にＤＭＢの視聴も可能である出力切換機能を使用できるキーである。このような出力切換キー感知及び出力切換動作は、下記図７で詳細に説明する。
【００４０】
一方、段階Ｓ６０６において出力切換キーが入力されない場合に、モデムモジュール２１８は、段階Ｓ６０８において通話処理動作及び受信メッセージ処理動作が終了されたか否かを判別する。通話処理動作及び受信メッセージ処理動作が終了されない場合には、段階Ｓ６０６に戻ってユーザーから出力切換キーが入力されたか否かを判別する。段階Ｓ６０８において通話処理動作及び受信メッセージ処理動作が終了された場合には、図４の段階Ｓ４１４に戻って可聴音スイッチ部３１６と、画像出力スイッチ部３１８と、キー入力スイッチ部３２０とが、可聴音出力経路と、画像出力経路と、キー入力経路とをスイッチングして、ＤＭＢモジュール２２０に連結するように制御する。よって、本発明の実施形態によるＤＭＢ受信端末機では、ユーザーがＤＭＢの視聴中に、ＤＭＢ受信を終了することなく、いつでも受信されたメッセージの確認又は呼着信に従う通話を行うことができる。これにより、ユーザーは、受信されたメッセージの確認又は通話を終了した後に、ＤＭＢを更にスタットすることなく、直ぐメッセージの受信又は呼着信に従う通話の以前に視聴したＤＭＢを連続して視聴可能である。
【００４１】
図７は、図５及び図６の段階Ｓ５０６を詳細に示すもので、本発明の実施形態によるＤＭＢ受信端末機が、ユーザーが呼着信又は呼発信に従う通話中に出力切換キーが入力された場合に、表示部２０６に出力される画像情報の出力経路及びキー入力部から入力されるキー入力信号の入力経路をスイッチングする動作を示すフローチャートである。
【００４２】
図７によれば、図５の段階Ｓ５０４又は図６の段階Ｓ６０６において、モデムモジュール２１８は、ユーザーから出力切換キーが入力されたか否かを感知する。ここで、出力切換キーは、キー入力部２０４にハードウェア的に具備されるキーであることができ、ソフトウェア的に具現されるソフトキーであることもできる。
【００４３】
モデムモジュール２１８は、段階Ｓ５０４又は段階Ｓ６０６において、出力切換キーの入力が感知された場合に、段階Ｓ７００において現在画像出力経路及びキー入力経路が、モデムモジュール２１８に連結されているか否かを判別する。段階Ｓ７００において画像出力経路及びキー入力経路がモデムモジュール２１８に連結されている場合に、モデムモジュール２１８は、段階Ｓ７０２において画像出力スイッチ部３１８及びキー入力スイッチ部３２０の経路をスイッチングする。これにより、可聴音出力経路を除いた画像出力経路及びキー入力経路がＤＭＢモジュール２２０に連結される。よって、ユーザーは通話中にも、表示部２０６に出力されるＤＭＢの視聴が可能であり、キー入力によりＤＭＢチャンネルの切換えが可能である。しかし、可聴音出力経路は相変らずモデムモジュール２１８に連結されているため、ＤＭＢのオーディオ出力は出力されない。
【００４４】
一方、段階Ｓ７００において画像出力経路及びキー入力経路がモデムモジュール２１８に連結されていない場合に、モデムモジュール２１８は、段階Ｓ７０４において画像出力スイッチ部３１８及びキー入力スイッチ部３２０の経路を、現在ＤＭＢモジュール２２０に連結されている状態からモデムモジュール２１８に連結されている状態へスイッチングする。これにより、可聴音出力経路と、画像出力経路と、キー入力経路ともモデムモジュール２１８に連結される。よって、出力切換キーが１回入力された場合には、ユーザーが通話しながら表示部２０６に出力されるＤＭＢの視聴が可能であるように表示部２０６の出力が切換えられ、再度出力切換キーが入力された場合には、更に通話に従う表示部２０６の画面が出力される。よって、ユーザーは、通話している状態で、出力切換キーの入力を介してＤＭＢ出力状態に従う画面及びキー入力状態を、通話状態に従う画面及びキー入力状態へトグルスイッチング(Ｔｏｇｇｌｅ  Ｓｗｉｔｃｈｉｎｇ)することができる。
【００４５】
なお、本発明の詳細な説明では具体的な実施形態について説明したが、本発明の要旨から逸脱しない範囲内で多様に変形できる。特に、本発明の実施形態では、ユーザーが呼着信や呼発信、ＳＭＳメッセージやＭＭＳメッセージの受信又は発信に対する場合のみを例としたが、これに限るものではない。すなわち、ユーザーが、ＤＭＢの視聴中に前記した機能を除いたモデムモジュールの機能、例えば住所録の検索のような機能を使用したい時にも、このような本発明が適用可能である。また、本発明は、ＤＭＢモジュールとモデムモジュールを具備しているＤＭＢ受信端末機の場合を例としたが、これに限らず、ＤＶＢ(Ｄｉｇｉｔａｌ  Ｖｉｄｅｏ  Ｂｒｏａｄｃａｓｔｉｎｇ)放送データの受信、処理及び出力が可能なＤＶＢモジュールを備えたＤＭＢ受信機にも適用可能である。ＤＭＢが受信可能なモジュールと、ＰＤＡモジュールを備えたＤＭＢ受信端末機にも適用可能である。よって、本発明の範囲は、前述の実施形態に限定されるものではなく、特許請求の範囲の記載及びこれと均等なものに基づいて定められるべきである。
【図面の簡単な説明】
【００４６】
【図１】通常のディジタル・マルチメディア・ブロードキャスティング（ＤＭＢ）受信端末機においてイベントの発生による動作状態の遷移を示す図である。
【図２】本発明の実施形態によるＤＭＢ受信端末機のブロック構成図である。
【図３】本発明の実施形態によるＤＭＢ受信端末機の制御部を詳細に示すブロック構成図である。
【図４】本発明の実施形態によるＤＭＢ受信端末機において受信又は発信を行う動作を示すフローチャートである。
【図５】本発明の実施形態によるＤＭＢ受信端末機において発信動作を詳細に示すフローチャートである。
【図６】本発明の実施形態によるＤＭＢ受信端末機において受信動作を詳細に示すフローチャートである。
【図７】本発明の実施形態によるＤＭＢ受信端末機において受信動作又は発信動作の遂行時に出力切換キーの入力に従う出力切換動作を示すフローチャートである。
【符号の説明】
【００４７】
２００      制御部
２０２      メモリ部
２０４      キー入力部
２０６      表示部
２０８      ＲＦ部
２１０      ベースバンド処理部
２１２      コーデック
２１４      増幅部
２１６      ＤＭＢ−モデムスイッチ部
２１８      モデムモジュール
２２０      ＤＭＢモジュール
３００      ＤＭＢ−モデムスイッチ制御部
３０２      ＤＭＢモジュールインターフェース
３０４      受信感知部
３０６      通話処理及びメッセージ処理部
３０８      出力切換キー入力感知部
３１０      モデムモジュールインターフェース
３１２      ＤＭＢデータ処理部
３１４      発信キー入力感知部
３１６      可聴音スイッチ部
３１８      画像出力スイッチ部
３２０      キー入力スイッチ部
【図１】
2006325205.tif 000003
【図２】
2006325205.tif 000004
【図３】
2006325205.tif 000005
【図４】
2006325205.tif 000006
【図５】
2006325205.tif 000007
【図６】
2006325205.tif 000008
【図７】
2006325205.tif 000009